(57)【要約】【課題】自動取引装置における送金のための操作を簡略にすることができ、自動取引装置に現金を入金して送金を行うための取引を短時間で容易に完了することができ、自動取引装置の稼働率が向上し、他の顧客を待たせることがないようにする。【解決手段】インターネットに接続され、送金取引の取引内容を事前に受け付けるＷｅｂサイトと、自動取引装置及びＷｅｂサイトに接続され、Ｗｅｂサイトが受け付けた取引内容を登録するデータベースと、顧客が操作して、インターネットを介してＷｅｂサイトにアクセスし、取引内容を入力する情報端末とを有する送金システムであって、Ｗｅｂサイトは、取引内容が入力されると取引固有の受付番号を情報端末に送信し、自動取引装置は、受付番号が入力されるとデータベースから取引内容を読み出し、現金が入金されると送金取引を実行する。【選択図】図１
2005258745.tif 000002
【特許請求の範囲】
【請求項１】
（ａ）顧客が操作して送金取引を行う自動取引装置と、
（ｂ）インターネットに接続され、前記送金取引の取引内容を事前に受け付けるＷｅｂサイトと、
（ｃ）前記自動取引装置及びＷｅｂサイトに接続され、該Ｗｅｂサイトが受け付けた取引内容を登録するデータベースと、
（ｄ）前記顧客が操作して、インターネットを介して前記Ｗｅｂサイトにアクセスし、前記取引内容を入力する情報端末とを有する送金システムであって、
（ｅ）前記Ｗｅｂサイトは、前記取引内容が入力されると取引固有の受付番号を前記情報端末に送信し、
（ｆ）前記自動取引装置は、前記受付番号が入力されると前記データベースから前記取引内容を読み出し、現金が入金されると送金取引を実行することを特徴とする送金システム。
【請求項２】
前記Ｗｅｂサイトは、通知を行う日時及び通知先が登録された場合、前記日時に前記通知先に送金取引を促す通知を行う請求項１に記載の送金システム。
【請求項３】
（ａ）情報コードを読み取る画像入力装置を備え、顧客が操作して送金取引を行う自動取引装置と、
（ｂ）インターネットに接続され、前記送金取引の取引内容を事前に受け付けるＷｅｂサイトと、
（ｃ）前記顧客が操作して、インターネットを介して前記Ｗｅｂサイトにアクセスし、前記取引内容を入力する情報端末とを有する送金システムであって、
（ｄ）前記Ｗｅｂサイトは、前記取引内容が入力されると、該取引内容を符号化した情報コードを前記情報端末に送信し、
（ｅ）前記自動取引装置は、前記画像入力装置が読み取った前記情報コードを復号化し、現金が入金されると送金取引を実行することを特徴とする送金システム。
【請求項４】
（ａ）前記情報端末は前記情報コードを印刷装置によって媒体に印刷させ、
（ｂ）前記画像入力装置は前記媒体に印刷された情報コードを読み取る請求項３に記載の送金システム。
【請求項５】
（ａ）前記情報端末は前記情報コードを表示手段に表示させ、
（ｂ）前記画像入力装置は前記情報端末の表示手段に表示された情報コードを読み取る請求項３に記載の送金システム。
【請求項６】
（ａ）顧客が操作して送金取引を行う自動取引装置と、
（ｂ）インターネットに接続され、前記送金取引の取引内容を事前に受け付けるＷｅｂサイトと、
（ｃ）前記自動取引装置及びＷｅｂサイトに接続され、該Ｗｅｂサイトが受け付けた取引内容を登録するデータベースと、
（ｄ）送金の受け取り者が操作して、インターネットを介して前記Ｗｅｂサイトにアクセスし、前記取引内容を入力する受け取り者端末と、
（ｅ）前記顧客が操作して、インターネットを介して前記Ｗｅｂサイトにアクセスし、前記取引内容を受信する情報端末とを有する送金システムであって、
（ｆ）前記Ｗｅｂサイトは、前記受け取り者端末から前記取引内容が入力されると、該取引内容とともに取引固有の受付番号を前記情報端末に送信し、
（ｇ）前記自動取引装置は、前記受付番号が入力されると前記データベースから前記取引内容を読み出し、現金が入金されると送金取引を実行することを特徴とする送金システム。
【請求項７】
（ａ）情報コードを読み取る画像入力装置を備え、顧客が操作して送金取引を行う自動取引装置と、
（ｂ）インターネットに接続され、前記送金取引の取引内容を事前に受け付けるＷｅｂサイトと、
（ｃ）送金の受け取り者が操作して、インターネットを介して前記Ｗｅｂサイトにアクセスし、前記取引内容を入力する受け取り者端末と、
（ｄ）前記顧客が操作して、インターネットを介して前記Ｗｅｂサイトにアクセスし、前記取引内容を受信する情報端末とを有する送金システムであって、
（ｅ）前記Ｗｅｂサイトは、前記受け取り者端末から前記取引内容が入力されると、該取引内容とともに該取引内容を符号化した情報コードを前記情報端末に送信し、
（ｆ）前記自動取引装置は、前記画像入力装置が読み取った前記情報コードを復号化し、現金が入金されると送金取引を実行することを特徴とする送金システム。
【発明の詳細な説明】
【技術分野】
【０００１】
本発明は、送金システムに関するものである。
【背景技術】
【０００２】
従来、銀行、信用金庫、郵便局等の金融機関の支店等の営業店に配設されたＡＴＭ（Ａｕｔｏｍａｔｉｃ  Ｔｅｌｌｅｒ  Ｍａｃｈｉｎｅ：現金自動預払機）等の自動取引装置は、顧客が自分で操作して、入金、出金、振り込み、振り替え、通帳記帳等の金融取引を行うようになっている（例えば、特許文献１参照。）。
【０００３】
そして、入金、出金、振り替え、振り込み、残高照会等の各種金融取引の項目が自動取引装置の顧客操作部の表示手段に表示されるので、顧客は、所望する項目を前記顧客操作部の入力手段を操作することによって選択する。一般的に、該入力手段は、顧客が指によって操作することができ、表示手段としても機能するタッチパネルである。この場合、前記顧客は、前記タッチパネルに表示されている選択手段としての選択項目の中から、例えば、「振り込み」の表示を指でタッチして選択する。これにより、振り込みのためのガイダンス画面が前記タッチパネルに表示されるので、前記顧客は表示されたガイダンスに従ってタッチパネルにタッチし、該タッチパネルに表示されるオペレーションパネルに振り込み先の金融機関名、支店名、口座番号、口座名義人の名称、金額等の事項を入力して、振り込みのために必要な操作を順次行う。なお、前記事項は表示された複数の候補の中から選択することによって入力することができる場合もある。そして、前記顧客がガイダンスに従って操作を行うと、次の操作を誘導するためのガイダンス画面が前記タッチパネルに表示されるようになっている。なお、音声によるガイダンスが出力される場合もある。最後に、前記顧客操作部における貨幣投入口の蓋（ふた）部材が開口し、前記顧客は振り込み金額に該当する貨幣を入金して、金融取引を終了する。
【特許文献１】特開平５−７３７５１号公報
【発明の開示】
【発明が解決しようとする課題】
【０００４】
しかしながら、前記従来の自動取引装置においては、振り替えや振り込みのような送金を行う場合、自動取引装置が表示するオペレーションパネルに送金先の金融機関名、支店名、口座番号、口座名義人の名称、金額等、多数の事項を入力する必要があるので、金融取引としての送金を完了するまでに長時間かかってしまう。特に、送金を行う操作に不慣れな顧客の場合、長時間かかってしまう。
【０００５】
例えば、前記顧客が一般的な個人消費者であって、自分で購入した商品等の代金を販売会社等の企業の口座に振り込むような場合、送金を行う操作に不慣れであることが多い。このような場合であっても、前記顧客は自分で自動取引装置を操作して送金を行う必要がある。このような場合、前記顧客は前記企業から該企業の金融機関名、支店名、口座番号、口座名義人の名称等の詳細な情報を入手し、金融機関の支店等の営業店に配設された自動取引装置にまで出向いて、前記情報に従って、自動取引装置が表示するオペレーションパネルに送金先の金融機関名、支店名、口座番号、口座名義人の名称、金額等、多数の事項を入力する必要がある。そのため、送金を完了するまでに長時間かかり、煩わしく感じてしまう。また、不慣れな場所での不慣れな操作のために疲労してしまう。さらに、一人の顧客が長時間に亘（わた）って自動取引装置を専有することになるので、自動取引装置の稼働率が低下してしまう。また、他の顧客を待たせることになるので、金融機関の顧客サービスの質が低下してしまう。
【０００６】
もっとも、近年においては、インターネットや情報機器が普及し、顧客は、家庭、職場等において携帯電話機、パーソナルコンピュータ等を操作することによって、インターネットを介して金融機関のサーバ等にアクセスし、振り替えや振り込みのような送金を行うことができるようになっている。しかし、この場合には前記顧客の口座に送金額以上の残高があることが前提になっていて、顧客が所持している現金を入金して送金を行うことはできないようになっている。
【０００７】
本発明は、前記従来の問題点を解決して、顧客が情報端末を操作してインターネット上のＷｅｂ（ウェブ）サイトにアクセスし、送金取引の取引内容を事前に入力しておくことができるようにして、自動取引装置における送金のための操作を簡略にすることができ、自動取引装置に現金を入金して送金を行うための取引を短時間で容易に完了することができ、自動取引装置の稼働率が向上し、他の顧客を待たせることがない送金システムを提供することを目的とする。
【課題を解決するための手段】
【０００８】
そのために、本発明の送金システムにおいては、顧客が操作して送金取引を行う自動取引装置と、インターネットに接続され、前記送金取引の取引内容を事前に受け付けるＷｅｂサイトと、前記自動取引装置及びＷｅｂサイトに接続され、該Ｗｅｂサイトが受け付けた取引内容を登録するデータベースと、前記顧客が操作して、インターネットを介して前記Ｗｅｂサイトにアクセスし、前記取引内容を入力する情報端末とを有する送金システムであって、前記Ｗｅｂサイトは、前記取引内容が入力されると取引固有の受付番号を前記情報端末に送信し、前記自動取引装置は、前記受付番号が入力されると前記データベースから前記取引内容を読み出し、現金が入金されると送金取引を実行する。
【０００９】
本発明の他の送金システムにおいては、さらに、前記Ｗｅｂサイトは、通知を行う日時及び通知先が登録された場合、前記日時に前記通知先に送金取引を促す通知を行う。
【００１０】
本発明の更に他の送金システムにおいては、情報コードを読み取る画像入力装置を備え、顧客が操作して送金取引を行う自動取引装置と、インターネットに接続され、前記送金取引の取引内容を事前に受け付けるＷｅｂサイトと、前記顧客が操作して、インターネットを介して前記Ｗｅｂサイトにアクセスし、前記取引内容を入力する情報端末とを有する送金システムであって、前記Ｗｅｂサイトは、前記取引内容が入力されると、該取引内容を符号化した情報コードを前記情報端末に送信し、前記自動取引装置は、前記画像入力装置が読み取った前記情報コードを復号化し、現金が入金されると送金取引を実行する。
【００１１】
本発明の更に他の送金システムにおいては、さらに、前記情報端末は前記情報コードを印刷装置によって媒体に印刷させ、前記画像入力装置は前記媒体に印刷された情報コードを読み取る。
【００１２】
本発明の更に他の送金システムにおいては、さらに、前記情報端末は前記情報コードを表示手段に表示させ、前記画像入力装置は前記情報端末の表示手段に表示された情報コードを読み取る。
【００１３】
本発明の更に他の送金システムにおいては、顧客が操作して送金取引を行う自動取引装置と、インターネットに接続され、前記送金取引の取引内容を事前に受け付けるＷｅｂサイトと、前記自動取引装置及びＷｅｂサイトに接続され、該Ｗｅｂサイトが受け付けた取引内容を登録するデータベースと、送金の受け取り者が操作して、インターネットを介して前記Ｗｅｂサイトにアクセスし、前記取引内容を入力する受け取り者端末と、前記顧客が操作して、インターネットを介して前記Ｗｅｂサイトにアクセスし、前記取引内容を受信する情報端末とを有する送金システムであって、前記Ｗｅｂサイトは、前記受け取り者端末から前記取引内容が入力されると、該取引内容とともに取引固有の受付番号を前記情報端末に送信し、前記自動取引装置は、前記受付番号が入力されると前記データベースから前記取引内容を読み出し、現金が入金されると送金取引を実行する。
【００１４】
本発明の更に他の送金システムにおいては、情報コードを読み取る画像入力装置を備え、顧客が操作して送金取引を行う自動取引装置と、インターネットに接続され、前記送金取引の取引内容を事前に受け付けるＷｅｂサイトと、送金の受け取り者が操作して、インターネットを介して前記Ｗｅｂサイトにアクセスし、前記取引内容を入力する受け取り者端末と、前記顧客が操作して、インターネットを介して前記Ｗｅｂサイトにアクセスし、前記取引内容を受信する情報端末とを有する送金システムであって、前記Ｗｅｂサイトは、前記受け取り者端末から前記取引内容が入力されると、該取引内容とともに該取引内容を符号化した情報コードを前記情報端末に送信し、前記自動取引装置は、前記画像入力装置が読み取った前記情報コードを復号化し、現金が入金されると送金取引を実行する。
【発明の効果】
【００１５】
本発明によれば、顧客が情報端末を操作してインターネット上のＷｅｂサイトにアクセスし、送金取引の取引内容を事前に入力しておくことができる。そのため、自動取引装置における送金のための操作を簡略にすることができ、自動取引装置に現金を入金して送金を行うための取引を短時間で容易に完了することができ、自動取引装置の稼働率が向上し、他の顧客を待たせることがない。
【発明を実施するための最良の形態】
【００１６】
以下、本発明の実施の形態について図面を参照しながら詳細に説明する。
【００１７】
図１は本発明の第１の実施の形態における送金システムの構成を示す図である。
【００１８】
図において、１０は送金システムであり、送金取引の取引内容を事前に受け付けるＷｅｂサイト１１、情報端末１３、データベース１４及び自動取引装置１５を有する。
【００１９】
ここで、該自動取引装置１５は、銀行、信用金庫、郵便局等の金融機関の支店等の営業店に配設されたＡＴＭ等であり、前記金融機関の顧客が自分で操作して入金、出金、通帳記帳、残高照会、振り込みや振り替えのような送金取引、定期性預金設定等の金融取引を行うための装置である。なお、前記自動取引装置１５は、前記金融機関の本店、支店等、コンビニエンスストア、スーパーマーケット、デパート等の商店の店舗、駅の構内、地下街、市役所、病院等の公共施設、工場、事務所等の私企業、駐車場、道路脇（わき）等の屋外等、いかなる場所に配設されていてもよい。また、前記自動取引装置１５は、他の機能、例えば、チケット予約機能、商品購入申し込み機能、クレジットカードの与信確認機能、施設情報案内機能等を有するキオスク端末のような多機能端末であってもよい。なお、前記顧客は、金融機関に自己の口座を開設し、前記金融機関を利用する者であり、一般的には個人であるが、企業、団体等であってもよい。
【００２０】
そして、前記自動取引装置１５は、キーボード、タッチパネル、押しボタン等の入力装置、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置等を備える顧客操作部１６を有する。なお、該顧客操作部１６は、入力装置と表示装置との機能を兼ね備えるタッチパネルであることが望ましい。さらに、前記顧客操作部１６は、音声ガイダンス等を出力するためのスピーカ等の音声出力装置を備える。
【００２１】
また、前記自動取引装置１５は、キャッシュカード等のカードを取り扱うカード取り扱い部を有する。ここで、前記カードは、金融機関が顧客に対して発行した入金、出金、振り込み、残高照会等の金融取引を行うためのカードであり、顧客の氏名、口座番号、暗証番号等の情報を格納する磁気ストライプを備える。なお、前記情報を格納する部材としては、前記磁気ストライプに代えて、カードに埋め込まれたＩＣであってもよい。そして、前記カード取り扱い部は、カードが挿入されるカードスロットを備え、該カードスロット内には、図示されないカードを搬送する搬送装置、及び、カードの磁気ストライプやＩＣに格納された情報の読み取り、上書き、消去等を行うための磁気ヘッド等の記録ヘッドが配設される。なお、前記カード取り扱い部は他の金融機関の発行したキャッシュカードやクレジットカード、デビットカード等の他の種類のカードも取り扱えることが望ましい。さらに、前記カード取り扱い部は取引明細票を発行する機能を備える。該取引明細票は、入金、出金、通帳記帳、残高照会、振り込み、振り替え、送金、定期性預金設定等の顧客が行った金融取引に関する情報が印刷される紙片であり、口座番号、金融取引の種類、取引金額等が印刷される。なお、前記取引明細票は、顧客が希望したときだけに発行されるようにしてもよい。
【００２２】
そして、前記自動取引装置１５は、預金通帳等の通帳に記帳する通帳記帳部を有する。ここで、前記通帳は、金融機関が顧客に対して発行した預金通帳等の冊子状の通帳であり、入金、出金、振り込み、振り替え、送金、定期性預金設定等の金融取引の記録が印刷されるものである。なお、前記通帳の表紙又は裏表紙には、顧客の氏名、口座番号、暗証番号等の情報を格納する磁気ストライプを備える。さらに、前記情報を格納する部材としては、前記磁気ストライプに代えて、通帳に埋め込まれたＩＣであってもよい。また、前記通帳記帳部は、通帳が挿入される通帳スロットを備え、該通帳スロット内には、図示されない通帳を搬送する搬送装置、通帳に前記金融取引の記録を印刷する印字ヘッド、及び、通帳の磁気ストライプやＩＣに格納された情報の読み取り、上書き、消去等を行うための磁気ヘッド等の記録ヘッドが配設される。
【００２３】
そして、前記自動取引装置１５は、紙幣又は硬貨を取り扱う貨幣入出金部を有する。該貨幣入出金部は、入金等の金融取引において顧客が入金した現金を受け取りカウントするとともに、出金等の金融取引において所定金額の紙幣又は硬貨を貨幣受け取り口から払い出す。なお、該貨幣受け取り口にはシャッタが配設され、該シャッタは、紙幣又は硬貨を払い出す時に開くようになっている。
【００２４】
さらに、前記自動取引装置１５は、プログラムに従って動作を行う一種のコンピュータであり、図示されない制御部を有する。該制御部は、ＣＰＵ、ＭＰＵ等の演算手段、半導体メモリ、磁気ディスク等の記憶手段、通信インターフェイス等を備え、前記自動取引装置１５の動作を統括的に制御する。
【００２５】
また、前記情報端末１３は、前記顧客が操作する情報機器であり、インターネット１２に接続することができる。ここで、前記情報端末１３は、ＣＰＵ、ＭＰＵ等の演算手段、半導体メモリ、磁気ディスク、光ディスク等の記憶手段、ＣＲＴ、液晶ディスプレイ、ＬＥＤディスプレイ等の表示手段、スピーカ等の音声出力手段、マイクロフォン等の音声入力手段、キーボード、ジョイスティック、十字キー、押しボタン、マウス、タッチパネル等の入力手段、通信インターフェイス、アンテナ等の通信手段等を備える一種のコンピュータであるが、前記インターネット１２に接続することができるものであれば、いかなる種類のものであってもよい。前記情報端末１３は、例えば、パーソナルコンピュータ、携帯電話機、ＰＨＳ（Ｐｅｒｓｏｎａｌ  Ｈａｎｄｙ−Ｐｈｏｎｅ  Ｓｙｓｔｅｍ）電話機等であるが、据え置き電話機、電子手帳、ＰＤＡ（Ｐｅｒｓｏｎａｌ  Ｄｉｇｉｔａｌ  Ａｓｓｉｓｔａｎｔ）、ゲーム機、デジタルテレビ等、いかなる形態のものであってもよい。そして、前記顧客は、前記情報端末１３を操作することによって、インターネット１２を介して、前記Ｗｅｂサイト１１にアクセスし、送金取引の取引内容を入力することができるようになっている。
【００２６】
ここで、前記Ｗｅｂサイト１１は、ＷＷＷ（Ｗｏｒｌｄ  Ｗｉｄｅ  Ｗｅｂ）サーバであり、ＣＰＵ、ＭＰＵ等の演算手段、半導体メモリ、磁気ディスク、光ディスク等の記憶手段、ＣＲＴ、液晶ディスプレイ、ＬＥＤディスプレイ等の表示手段、キーボード、押しボタン、マウス、タッチパネル等の入力手段、通信手段等を備える一種のコンピュータであるが、前記インターネット１２に接続することができるものであれば、いかなる種類のものであってもよい。前記Ｗｅｂサイト１１は、例えば、パーソナルコンピュータ、ワークステーション等であるがいかなる形態のものであってもよい。なお、前記Ｗｅｂサイト１１は、大型の汎（はん）用コンピュータのような単独のコンピュータによって構成されるものであってもよいし、分散型サーバのように複数のコンピュータを有機的に結合したものであってもよいし、大型のコンピュータ内に構築される複数のシステムの中の一つであってもよい。
【００２７】
そして、前記Ｗｅｂサイト１１は、前記金融機関によって管理及び運営され、自動取引装置１５を操作して送金を行うために必要な事項、すなわち、送金取引の取引内容を事前に受け付けるためのＷｅｂページを提供する。この場合、前記顧客は情報端末１３を操作して、インターネット１２を介してアクセスし、ＷＷＷブラウザ（ｂｒｏｗｓｅｒ）によって、前記必要な事項を入力するための入力ページや、入力事項確認ページ等の前記Ｗｅｂページを情報端末１３の表示手段に表示させることができる。そして、前記入力ページに入力した送金先の金融機関名、支店名、口座番号、口座名義人の名称、金額等、送金を行うために必要な事項を情報端末１３からＷｅｂサイト１１に送信することによって、あらかじめ入力しておくことができるようになっている。なお、前記Ｗｅｂサイト１１は、前記金融機関によって委託された者によって、管理及び運営されてもよい。
【００２８】
また、前記Ｗｅｂサイト１１には、データベース１４がネットワーク１７ｂを介して接続されている。前記データベース１４は、磁気ディスク、光ディスク等の記憶手段を備え、前記Ｗｅｂサイト１１に入力された取引内容としての送金を行うために必要な事項を登録して格納する。なお、前記ネットワーク１７ｂは、無線又は有線の専用通信回線網であることが望ましいが、公衆通信回線網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＶＰＮ（Ｖｉｒｔｕａｌ  Ｐｒｉｖａｔｅ  Ｎｅｔｗｏｒｋ）等であってもよいし、これらを組み合わせたものであってもよい。
【００２９】
そして、前記データベース１４には、自動取引装置１５がネットワーク１７ａを介して接続されている。これにより、前記自動取引装置１５は、該自動取引装置１５を操作して顧客が送金を行う際に、前記データベース１４にアクセスして、前記顧客によってあらかじめ入力された送金先の金融機関名、支店名、口座番号、口座名義人の名称、金額等、送金を行うために必要な事項を取得することができる。すなわち、自動取引装置１５は、後述されるキーコードが入力されると前記データベース１４から前記取引内容を読み出すようになっている。なお、前記ネットワーク１７ａは、無線又は有線の専用通信回線網であることが望ましいが、公衆通信回線網、ＬＡＮ、ＷＡＮ、ＶＰＮ等であってもよいし、これらを組み合わせたものであってもよい。また、前記ネットワーク１７ａは、前記ネットワーク１７ｂと同一ものであってもよい。
【００３０】
次に、前記構成の送金システム１０の動作について説明する。ここでは、顧客がキーコードを利用して、送金処理としての振り込みを行う場合の動作について説明する。
【００３１】
まず、顧客は、自宅、職場等の身近な環境において情報端末１３を操作し、インターネット１２を介してＷｅｂサイト１１にアクセスする。すると、ＷＷＷブラウザによって、取引内容としての必要な事項を入力するための入力ページが情報端末１３の表示手段に表示される。そして、顧客は、情報端末１３を操作し、振り込み先の金融機関名、支店名、振り込み先口座番号、振り込み金額、依頼者氏名等の事項を前記入力ページの記入欄に記入し、情報端末１３を操作してＷｅｂサイト１１に送信する。これにより、前記記入欄に記入された事項が入力情報としてＷｅｂサイト１１に入力される。
【００３２】
続いて、該Ｗｅｂサイト１１は、前記入力情報に基づいて、依頼先の口座名義人等の金融機関が保有する情報を取得し、該情報を含む入力確認ページを提供する。該入力確認ページが情報端末１３の表示手段に表示されると、顧客は、入力確認ページの表示内容を確認した後、情報端末１３を操作して確認をＷｅｂサイト１１に送信する。これにより、該Ｗｅｂサイト１１は、前記入力情報を取引内容として、データベース１４に送信して登録する。また、前記Ｗｅｂサイト１１は、登録された取引内容をデータベース１４から取り出すための取引固有の受付番号、すなわち、キーコードを前記情報端末１３に送信する。これにより、前記顧客は、前記キーコードを取得することができる。
【００３３】
その後、顧客は前記キーコードを保持して、金融機関の営業店等に配設された自動取引装置１５へ赴く。続いて、前記顧客は、前記自動取引装置１５の顧客操作部１６を操作して前記キーコードを入力する。すると、前記自動取引装置１５は、データベース１４に登録されているデータにアクセスし、前記キーコードに基づいて検索を行い、該キーコードに対応した取引内容を読み出す。そして、前記自動取引装置１５は、前記取引内容を顧客操作部１６に表示する。続いて、前記顧客は、表示された取引内容を確認し、現金を自動取引装置１５の貨幣入出金部に入金し、顧客操作部１６を操作して振り込みを実行させる。これにより、送金取引としての振り込みを行うための取引が完了する。
【００３４】
このように、本実施の形態において、振り込みを行おうとする顧客は、前記情報端末１３を操作することによって、Ｗｅｂサイト１１にアクセスして、事前に必要な事項を入力するようになっている。そのため、前記顧客が自動取引装置１５において行う操作は、取引内容の確認、現金の入金等の最低限の操作となる。したがって、自動取引装置１５における取引を短時間で容易に完了することができ、自動取引装置１５の稼働率が向上し、他の顧客を待たせることがない。また、前記顧客は、振り込みを行うために長時間を費やすことがなく、煩わしく感じることもない。
【００３５】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００３６】
図２は本発明の第２の実施の形態における送金システムの構成を示す図である。
【００３７】
本実施の形態においては、データベース１４が省略されている。そして、情報端末１３に印刷装置としてのプリンタ２４が接続されている。該プリンタ２４は、印刷用紙等の媒体に印刷することができるものであれば、いかなる種類の印刷方式を採用するものであってもよく、例えば、インクジェット方式、電子写真方式、熱転写方式、ワイヤドット方式等であってもよい。前記プリンタ２４は、顧客が、前記情報端末１３を操作することによって、Ｗｅｂサイト１１にアクセスして入力した、送金先の金融機関名、支店名、口座番号、口座名義人の名称、金額等、送金を行うために必要な事項を符号化した二次元バーコード、ＱＲ（Ｑｕｉｃｋ  Ｒｅｓｐｏｎｓｅ）コード等の情報コードを媒体に印刷する。
【００３８】
また、自動取引装置１５は画像入力装置２７を有する。該画像入力装置２７は、例えば、バーコードリーダのように、ＣＣＤ（Ｃｈａｒｇｅ  Ｃｏｕｐｌｅｄ  Ｄｅｖｉｃｅ：電荷結合素子）等の撮像手段を備え、前記媒体に印刷された二次元バーコード、ＱＲコード等の情報コードを読み取ることができる。なお、その他の点の構成については、前記第１の実施の形態と同様であるので、説明を省略する。
【００３９】
次に、本実施の形態における送金システム１０の動作について説明する。ここでは、顧客がプリントアウトを利用して振り込みを行う場合について説明する。
【００４０】
まず、顧客は、自宅、職場等の身近な環境において情報端末１３を操作し、インターネット１２を介してＷｅｂサイト１１にアクセスする。すると、ＷＷＷブラウザによって、取引内容としての必要な事項を入力するための入力ページが情報端末１３の表示手段に表示される。そして、顧客は、情報端末１３を操作し、振り込み先の金融機関名、支店名、振り込み先口座番号、振り込み金額、依頼者氏名等の事項を前記入力ページの記入欄に記入し、情報端末１３を操作してＷｅｂサイト１１に送信する。これにより、前記記入欄に記入された事項が入力情報としてＷｅｂサイト１１に入力される。
【００４１】
続いて、該Ｗｅｂサイト１１は、前記入力情報に基づいて、依頼先の口座名義人等の金融機関が保有する情報を取得し、該情報を含む入力確認ページを提供する。該入力確認ページが情報端末１３の表示手段に表示されると、顧客は、入力確認ページの表示内容を確認した後、情報端末１３を操作して確認をＷｅｂサイト１１に送信する。続いて、前記顧客は、情報端末１３を操作し、前記入力情報を取引内容として、該取引内容を符号化した情報コードをプリンタ２４によって媒体に印刷させる。これにより、前記顧客は、前記情報コードが印刷された媒体、すなわち、プリントアウトを取得することができる。
【００４２】
その後、顧客は前記プリントアウトを保持して、金融機関の営業店等に配設された自動取引装置１５へ赴く。続いて、前記顧客は、前記自動取引装置１５の画像入力装置２７に前記プリントアウトに印刷された情報コードを読み取らせる。すると、前記自動取引装置１５は、前記情報コードを復号化して取引内容を取り出す。そして、前記自動取引装置１５は、前記取引内容を顧客操作部１６に表示する。続いて、前記顧客は、表示された取引内容を確認し、現金を自動取引装置１５の貨幣入出金部に入金し、顧客操作部１６を操作して振り込みを実行させる。これにより、振り込みを行うための取引が完了する。
【００４３】
なお、本実施の形態においては、二次元バーコード、ＱＲコード等の情報コードをプリンタ２４によって媒体に印刷し、該媒体に印刷された情報コードを自動取引装置１５の画像入力装置２７に読み取らせる場合について説明した。しかし、前記情報端末１３が携帯電話機等のように携帯可能なものであり、前記情報コードを表示することができる表示手段を有するものである場合には、前記情報コードを前記情報端末１３の表示手段に表示させて自動取引装置１５の画像入力装置２７に読み取らせることができる。この場合、前記情報コードをプリンタ２４によって媒体に印刷する必要がない。
【００４４】
次に、本発明の第３の実施の形態について説明する。なお、第１及び第２の実施の形態と同じ構造を有するものについては、同じ符号を付与することによってその説明を省略する。また、前記第１の実施の形態と同じ動作及び同じ効果についても、その説明を省略する。
【００４５】
本実施の形態においては、定期的に振り込みを行う場合、又は、実際の振り込み時期までに期間がある場合に、通知を行う日時、及び、前記顧客への通知先としての電子メールアドレスや電話番号をＷｅｂサイト１１に登録しておくようになっている。これにより、通知を行う日時になると、Ｗｅｂサイト１１から顧客に対して、振り込みを行うように通知が行われるようになっている。なお、その他の点の構成については、前記第１の実施の形態と同様であるので、図１を援用して説明する。
【００４６】
次に、本実施の形態における送金システム１０の動作について説明する。
【００４７】
まず、顧客は、自宅、職場等の身近な環境において情報端末１３を操作し、インターネット１２を介してＷｅｂサイト１１にアクセスする。すると、ＷＷＷブラウザによって、取引内容としての必要な事項を入力するための入力ページが情報端末１３の表示手段に表示される。そして、顧客は、情報端末１３を操作し、振り込み先の金融機関名、支店名、振り込み先口座番号、振り込み金額、依頼者氏名等の事項を前記入力ページの記入欄に記入し、情報端末１３を操作してＷｅｂサイト１１に送信する。これにより、前記記入欄に記入された事項が入力情報としてＷｅｂサイト１１に入力される。
【００４８】
続いて、該Ｗｅｂサイト１１は、前記入力情報に基づいて、依頼先の口座名義人等の金融機関が保有する情報を取得し、該情報を含む入力確認ページを提供する。ここで、定期的に振り込みを行う場合、又は、実際の振り込み時期までに期間がある場合、前記顧客は、通知を行う日時、及び、通知先としての電子メールアドレスや電話番号を登録する。そして、前記顧客は、入力確認ページの表示内容を確認した後、情報端末１３を操作して確認をＷｅｂサイト１１に送信する。これにより、該Ｗｅｂサイト１１は、前記入力情報を取引内容として、データベース１４に送信して登録する。また、前記Ｗｅｂサイト１１は、登録された取引内容をデータベース１４から取り出すための取引固有の受付番号、すなわち、キーコードを前記情報端末１３に送信する。これにより、前記顧客は、前記キーコードを取得することができる。
【００４９】
その後、前記通知を行う日時になると、Ｗｅｂサイト１１から顧客に対して、振り込みを行うように通知が行われる。すると、前記顧客は前記キーコードを保持して、金融機関の営業店等に配設された自動取引装置１５へ赴く。続いて、前記顧客は、前記自動取引装置１５の顧客操作部１６を操作して前記キーコードを入力する。すると、前記自動取引装置１５は、データベース１４に登録されているデータにアクセスし、前記キーコードに基づいて検索を行い、前記キーコードに対応した取引内容を取り出す。そして、前記自動取引装置１５は、前記取引内容を顧客操作部１６に表示する。続いて、前記顧客は、表示された取引内容を確認し、現金を自動取引装置１５の貨幣入出金部に入金し、顧客操作部１６を操作して振り込みを実行させる。これにより、振り込みを行うための取引が完了する。なお、定期的に振り込みを行う場合には、最初にデータベース１４に登録された取引内容を再び利用することができる。
【００５０】
このように、本実施の形態においては、登録された通知を行う日時になると、Ｗｅｂサイト１１から顧客に対して、振り込みを行うように通知が行われるようになっている。そのため、顧客の振り込み忘れを防ぐことができる。また、定期的に振り込みを行う場合には、取引内容を一度登録することによって二度目以降の登録を省略することができる。
【００５１】
次に、本発明の第４の実施の形態について説明する。なお、第１〜３の実施の形態と同じ構造を有するものについては、同じ符号を付与することによってその説明を省略する。また、前記第１の実施の形態と同じ動作及び同じ効果についても、その説明を省略する。
【００５２】
図３は本発明の第４の実施の形態における送金システムの構成を示す図である。
【００５３】
本実施の形態において、送金システム１０は、送金を受け取る者である受け取り者が操作し、インターネット１２に接続することができる情報端末としての受け取り者端末２３を有する。該受け取り者端末２３は、ＣＰＵ、ＭＰＵ等の演算手段、半導体メモリ、磁気ディスク、光ディスク等の記憶手段、ＣＲＴ、液晶ディスプレイ、ＬＥＤディスプレイ等の表示手段、スピーカ等の音声出力手段、マイクロフォン等の音声入力手段、キーボード、ジョイスティック、十字キー、押しボタン、マウス、タッチパネル等の入力手段、通信インターフェイス、アンテナ等の通信手段等を備える一種のコンピュータであるが、前記インターネット１２に接続することができるものであれば、いかなる種類のものであってもよい。前記受け取り者端末２３は、例えば、パーソナルコンピュータ、携帯電話機、ＰＨＳ電話機等であるが、据え置き電話機、電子手帳、ＰＤＡ、ゲーム機、デジタルテレビ等、いかなる形態のものであってもよい。そして、前記受け取り者は、前記受け取り者端末２３を操作することによって、インターネット１２を介して、前記Ｗｅｂサイト１１にアクセスし、送金取引の取引内容を入力することができるようになっている。なお、その他の点の構成については、前記第１及び第２の実施の形態と同様であるので、説明を省略する。
【００５４】
次に、本実施の形態における送金システム１０の動作について説明する。ここでは、送金処理としての振り込みを行うために必要な事項を受け取り者が登録する場合の動作について説明する。
【００５５】
まず、受け取り者は、受け取り者端末２３を操作し、インターネット１２を介してＷｅｂサイト１１にアクセスする。すると、ＷＷＷブラウザによって、振り込みを行うために必要な事項を入力するための入力ページが情報端末１３の表示手段に表示される。そして、受け取り者は、受け取り者端末２３を操作し、振り込み先としての受領者の金融機関、支店、振り込み先としての受領者の口座番号、振り込み金額等の事項を前記入力ページの記入欄に記入し、情報端末１３を操作してＷｅｂサイト１１に送信する。なお、前記受領者から振り込みを行う振り込み者としての顧客へのメッセージ、前記受領者の連絡先等を前記記入欄に記入することもできる。これにより、前記記入欄に記入された事項が入力情報としてＷｅｂサイト１１に入力される。
【００５６】
続いて、該Ｗｅｂサイト１１は、前記入力情報に基づいて入力確認ページを提供する。ここで、前記受領者は、前記顧客の電子メールアドレスを登録する。そして、前記受け取り者は、入力確認ページの表示内容を確認した後、受け取り者端末２３を操作して確認をＷｅｂサイト１１に送信する。これにより、該Ｗｅｂサイト１１は、前記入力情報を取引内容として、データベース１４に送信して登録する。また、前記Ｗｅｂサイト１１は、前記顧客の電子メールアドレスに、振り込み先としての受領者の金融機関、支店、振り込み先としての受領者の口座番号、振り込み金額、受領者からの顧客へのメッセージ、受領者の連絡先等の事項とともに、登録された取引内容をデータベース１４から取り出すためのキーコード又は前記取引内容を符号化した情報コードを電子メールとして送信する。
【００５７】
続いて、前記顧客は、情報端末１３を操作して、前記Ｗｅｂサイト１１から送信された電子メールを受信し、該電子メールの内容を確認する。これにより、前記顧客は、前記キーコードを取得することができる。また、前記顧客は、情報端末１３を操作して、前記取引内容を符号化した情報コードをプリンタ２４によって媒体に印刷させ、前記情報コードが印刷された媒体、すなわち、プリントアウトを取得することもできる。
【００５８】
その後、顧客は前記キーコード又はプリントアウトを保持して、金融機関の営業店等に配設された自動取引装置１５へ赴き、振り込みを行う。なお、振り込みを行う動作は、前記第１又は第２の実施の形態と同様であるので、その説明は省略する。
【００５９】
このように、本実施の形態においては、送金を受け取る者である受け取り者が、あらかじめ、振り込みを行うために必要な事項を入力情報としてＷｅｂサイト１１に入力し、データベース１４に取引内容を登録するようになっている。そのため、振り込みを行う振り込み者としての顧客は、振り込みを行うために必要な事項を入力する必要がないので、容易に振り込みを行うことができ、送金ミスを防ぐことができる。
【００６０】
なお、本発明は前記実施の形態に限定されるものではなく、本発明の趣旨に基づいて種々変形させることが可能であり、それらを本発明の範囲から排除するものではない。
【図面の簡単な説明】
【００６１】
【図１】本発明の第１の実施の形態における送金システムの構成を示す図である。
【図２】本発明の第２の実施の形態における送金システムの構成を示す図である。
【図３】本発明の第４の実施の形態における送金システムの構成を示す図である。
【符号の説明】
【００６２】
１０    送金システム
１１    Ｗｅｂサイト
１２    インターネット
１３    情報端末
１４    データベース
１５    自動取引装置
２３    受け取り者端末
２４    プリンタ
２７    画像入力装置
【図１】
2005258745.tif 000003
【図２】
2005258745.tif 000004
【図３】
2005258745.tif 000005